(57)【特許請求の範囲】
【請求項１】
軸線方向に沿って往復移動するロッドの先端に弁体が取り付けられ、水の通路の途中に設けられた弁座と弁体との距離を増減させることにより、水の流量を制御する流量制御弁であって、ロッドの後端にロッドを往復移動させる駆動機構を設けると共に、ロッドの途中に、水の通路側から駆動機構側に水が漏出することを防止するリング状のシール部材を潤滑用のグリスと共に装着したものにおいて、シール部材より水の通路側に位置するように筒状のスリーブを設け、このスリーブの水の通路側の端部の位置が、ロッド表面の部分であって弁体が全開状態でロッドに対してシール部材が当接する部分が、ロッドが移動して弁体の全閉時になってもスリーブで覆い続けることができる位置になるように、スリーブの長さを設定し、ロッドが往復移動しても上記グリスがシール部材に対して残留し続けるように構成すると共に、上記シール部材の後端側に補助シール部材を設けると共に、シール部材と補助シール部材との間にワッシャ状のスペーサを配設し、スペーサの内周径をロッドの外径より若干大きくして、グリスが溜まるようにしたことを特徴とする流量制御弁。
【発明の詳細な説明】
【技術分野】
【０００１】
本発明は、給湯装置など、水の通路を備えて機器に用いられ、この通路を流れる水の流量を増減制御する流量制御弁に関する。
【背景技術】
【０００２】
従来のこの種の流量調節弁としては、モータの回転軸にウォームギヤを取り付け、このウォームフォイルの中心軸としてロッドを設けたものが知られている。このウオームフォイルは本体側に螺合しており、モータを駆動させるとウォームフォイルが上下に移動することによってロッドが長手方向に往復移動する。ロッドは水の通路内に延在し、ロッドの先端には弁体が取り付けられている。この弁体は、ロッドが前進すると水の通路の途中に設けられた弁座に着座して水の流れを遮断する。
【０００３】
その状態からロッドを後退させると弁体が前座から離れ、弁体と弁座との間を通って水が流れる。この弁体と弁座との距離が広がれば流量が増加し、逆に狭まれば流量は減少する。
【０００４】
このロッドは水の通路内へと延在されているので、水の通路側からウォームギヤやモータが設けられている側に水が漏出しないようにリング状のシール部材が装着されている。従って、ロッドはこのシール部材が接触した状態で往復移動するため、シール部材との間で摩擦力が大きくなると、モータの負荷が増加する。そこで、シール部材をシリコングリス等の潤滑剤と共に装着することによって、ロッドとシール部材との間の摩擦力を低減するように構成されている（例えば、特許文献１参照）。
【先行技術文献】
【特許文献】
【０００５】
【特許文献１】特開２００３−２０８２２９号公報（図３）
【発明の概要】
【発明が解決しようとする課題】
【０００６】
上記従来の流量制御弁では、弁体が全開状態になるようにロッドを後退させた状態で、ロッドの表面のシール部材が接触している位置に潤滑剤であるグリスが付着する。その状態からロッドを前進させて弁体を弁座に着座させると、グリスが付着していた位置が水の通路内に位置し、グリスが水中に晒される。グリスは水溶性ではないのですべて洗い流されることはないが、少量は水中に流れ出てしまう。このように、ロッドが前後に移動し続けると、少量ずつではあるがグリスが徐々に水中に流れ出て、最終的にはグリス切れの状態になる。グリスが切れるとモータの負荷が増加し、弁体をスムーズに開閉できなくなるおそれが生じる。なお、グリスをシール部材が設けられている位置に外部から定期的に補充することも考えられるが、機構が複雑になり、またコストが高くなるため、好ましくない。
【０００７】
そこで本発明は、上記の問題点に鑑み、外部からグリスを補給することなく可及的にグリス切れを回避することのできる流量制御弁を提供することを課題とする。
【課題を解決するための手段】
【０００８】
上記課題を解決するために本発明による流量制御弁は、軸線方向に沿って往復移動するロッドの先端に弁体が取り付けられ、水の通路の途中に設けられた弁座と弁体との距離を増減させることにより、水の流量を制御する流量制御弁であって、ロッドの後端にロッドを往復移動させる駆動機構を設けると共に、ロッドの途中に、水の通路側から駆動機構側に水が漏出することを防止するリング状のシール部材を潤滑用のグリスと共に装着したものにおいて、シール部材より水の通路側に位置するように筒状のスリーブを設け、このスリーブの水の通路側の端部の位置が、ロッド表面の部分であって弁体が全開状態でロッドに対してシール部材が当接する部分が、ロッドが移動して弁体の全閉時になってもスリーブで覆い続けることができる位置になるように、スリーブの長さを設定し、ロッドが往復移動しても上記グリスがシール部材に対して残留し続けるように構成すると共に、上記シール部材の後端側に補助シール部材を設けると共に、シール部材と補助シール部材との間にワッシャ状のスペーサを配設し、スペーサの内周径をロッドの外径より若干大きくして、グリスが溜まるようにしたことを特徴とする。
【０００９】
弁体が全開状態の時にシール部材が当接する位置にはグリスが付着する。ロッドを移動させて弁体を全閉状態にしたときに、そのグリスが付着した部分はスリーブに覆われており、水には晒されない。そのため、付着したグリスが流出することが防止される。
【発明の効果】
【００１０】
以上の説明から明らかなように、本発明は、上述のようにロッドに付着したグリスがロッドの移動によって水に晒されることがないので、グリスが流出せず当初に充填したグリスがシール部材の設置位置に長期間保持され、シール部材とロッドとの間の潤滑をし続けることができる。
【図面の簡単な説明】
【００１１】
【図１】本発明の一実施の形態の構成を示す図
【図２】シール部材の近傍を示す図
【発明を実施するための形態】
【００１２】
図１を参照して、１は本発明による流量制御弁である。この流量制御弁１は流入口１１から流入する水を流出口１２から流出させるものである。流入口１１と流出口１２との間に設けた弁座１３に弁体２を着座させると、流出口１２からの水の流出が停止し、弁体２を弁座１３から離すと、両者の距離の応じた流量の水が流出口１２から流出する。
【００１３】
図において弁体２の下側には複数本のガイド爪２１が形成され、弁体２と弁座１３とが芯ずれしないように構成されている。また、ケース側にはガイド部材３が固定されており、このガイド部材３の内周面３１に沿って弁体２が往復移動するように構成されている。弁体２にはリング状のシール部材２２が設けられており、流入口１１側の１次圧がガイド部材３の内部空間３２に作用しないように構成されている。
【００１４】
一方、流量制御弁１の上部には駆動機構４が設けられている。この駆動機構４の構成要素の１つであるモータ５の回転軸にはウォームギア５１が取り付けられている。ウォームギア５１にはウォームフォイル４１が噛合しており、モータ５を駆動させるとウォームフォイル４１が回転する。ウォームフォイル４１の内周面にはねじ部が形成されており、そのねじ部に可動部材４２が螺合している。可動部材４２は回り止め部材４３に対してセレーションを介して係合している。
【００１５】
従って、ウォームフォイル４１が回転すると可動部材４２が図において上下方向に往復移動する。この可動部材４２にはロッド６の後端が固定されており、ロッド６の先端には上述の弁体２が取り付けられている。この弁体２には上下方向に対面する２つの面２ａ，ｂが形成されている。このため、１次圧が両面２ａ，２ｂに逆方向に作用し打ち消しあうので、１次圧の影響を受けずに弁体２を上下方向に移動させることができ、モータ５の負荷を軽減させることができる。
【００１６】
ロッド６は上述のようにモータ５などのから成る駆動機構４側から水の通路側に貫通して設けられているので、通路内の水が駆動機構側に漏出しないように、リング状のシール部材６１が設けられている。なお、本実施の形態では、シール部材６の上方に更に補助シール部材６２を設けた。そして、シール部材６１の下方にスリーブ７１を設け、シール部材６１と補助シール部材６２との間にスペーサ７２を取り付けた。
【００１７】
図２を参照して、スペーサ７２の内周径をロッド６の外径より若干大きくして、グリスが溜まるようにした。図２はロッドが上端位置、すなわち弁体２が全開状態になっている状態を示している。その状態で、シール部材６１の接触している位置を「Ａ」とすると、ロッド６は弁体２が全閉状態になるまで図において下方に移動する。その移動距離、すなわちロッド６のストロークＳだけロッド６が移動した状態で、先に「Ａ」で示した位置はストロークＳ分だけ下方に移動する。そして、その移動した状態で、スリーブ７１の下端７１ａより上方に位置するようにした。すなわち、ロッド６の表面のうち、シール部材６１に接触する部分は常にスリーブ７１で覆われ続けることになり、その部分に付着したグリスは水中に晒されることがない。そのためグリスがロッド６の表面から流出せず、長期間にわたって潤滑性を維持することができる。
【００１８】
なお、本発明は上記した形態に限定されるものではなく、本発明の要旨を逸脱しない範囲内において種々の変更を加えてもかまわない。
【符号の説明】
【００１９】
１  流量制御弁
２  弁体
３  ガイド部材
４  駆動機構
５  モータ
６  ロッド
６１  シール部材
７１  スリーブ
【図１】
0005414589.tif 000002
【図２】
0005414589.tif 000003